(57)【要約】【課題】色空間ブラケット撮影時にメモリカードに記録される記録データ量を減らす。【解決手段】デジタルカメラ１０を色空間ブラケット撮影モードに切り替える。１回の撮像指示に応じて出力されたＣＣＤ−ＲＡＷデータに、色補間処理、ＷＢ処理を施す。各処理が施された画像データに、ｓＲＧＢ色空間、ＡｄｏｂｅＲＧＢ色空間に対応する色空間変換処理を施して、ｓＲＧＢ画像データ及びＡｄｏｂｅＲＧＢ画像データを形成する。ＡｄｏｂｅＲＧＢ画像データの各画素データの中で、ＡｄｏｂｅＲＧＢ色空間内且つｓＲＧＢ色空間外の色で表される色空間外画素データを検出して、両色空間の画像データの色空間差分データを求める。ｓＲＧＢ画像データ及び色空間差分データのみを、所定の画像処理・圧縮処理を施した後にメモリカード２５に記録する。これにより、メモリカード２５に記録される記録データ量を減らすことができる。【選択図】図７
2008085882.tif 000002
【特許請求の範囲】
【請求項１】
１回のレリーズ入力に応じて被写体を撮像して画像データを取得した後、この画像データに対してそれぞれ異なる色空間に対応する色空間変換処理を施して、色域の狭い第１の色空間に基づいて変換された第１の画像データと、この第１の画像データよりも色域が広い第２の色空間に基づいて変換された第２の画像データとを少なくとも含む複数種類の異なる色空間の画像データを形成する色空間ブラケット撮影モードを備える撮像装置において、
前記色空間ブラケットモード下での撮影時、前記第２の画像データ中の各画素データのうち、前記第２の色空間内且つ前記第１の色空間外の色で表される差分画素データを検出する色空間差分データ検出手段と、
前記第１の画像データと、前記差分画素データとを関連付けて記録媒体に記録する記録手段とを備えることを特徴とする撮像装置。
【請求項２】
前記記録媒体に記録された画像のうち、対象画像のプリントに関連する設定を行うプリント関連設定モードを有しており、前記第２の色空間として、プリントに適正なプリント適正色空間が設定されている場合、前記プリント関連設定モード下で、前記対象画像に対して前記プリントに関する設定が行われたとき、前記対象画像の対応する前記第１の画像データと、これに関連付けて記憶された前記差分画素データとを用いて前記プリント適正色空間に応じた前記第２の画像データを形成するプリント適正画像データ形成手段を備えることを特徴とする請求項１記載の撮像装置。
【請求項３】
１回のレリーズ入力に応じて被写体を撮像して画像データを取得した後、この画像データに対してそれぞれ異なる色空間に対応する色空間変換処理を施して、色域の狭い第１の色空間に基づいて変換された第１の画像データと、この第１の画像データよりも色域が広い第２の色空間に基づいて変換された第２の画像データとを少なくとも含む複数種類の異なる色空間の画像データを形成する色空間ブラケット撮影モードを備える撮像装置の画像データ記録方法において、
前記色空間ブラケットモード下での撮影時、前記第２の画像データ中の各画素データのうち、前記第２の色空間内且つ前記第１の色空間外の色で表される差分画素データを検出する色空間差分データ検出ステップと、
前記第１の画像データと、前記差分画素データとを関連付けて記録媒体に記録する記録ステップとを備えることを特徴とする撮像装置の画像データ記録方法。
【発明の詳細な説明】
【技術分野】
【０００１】
本発明は、１回の撮像指示で複数種類の色空間の画像データを形成する撮像装置及びその画像データ記録方法に関するものである。
【背景技術】
【０００２】
デジタル画像のカラーを表現する色空間には、複数種類の定義が存在することが知られている。例えば、デジタルカメラで採用されている標準的な色空間としては、ｓＲＧＢと呼ばれるＲＧＢ色空間が最も普及している。一方、主に商業印刷の分野では、ｓＲＧＢよりも広い色空間を有するＡｄｏｂｅＲＧＢと呼ばれる色空間が一般的である。近年では、デジタルカメラで撮影した画像を、印刷用のデータとして加工・編集する機会などが多いことから、撮影画像の色空間としてｓＲＧＢ色空間及びＡｄｏｂｅＲＧＢ色空間の両方を採用しているデジタルカメラが増えている（特許文献１及び２参照）。
【０００３】
このようなデジタルカメラは、動作モードとして色空間ブラケット撮影モードを有している。色空間ブラケット撮影モードとは、１回の撮像指示で、ｓＲＧＢ色空間の画像データとＡｄｏｂｅＲＧＢ色空間の画像データとを形成するモードである。そして、両色空間の画像データは、各種画像処理が施され、所定のファイル形式に圧縮された画像ファイルとして、メモリカード等に記録される（特許文献３参照）。
【特許文献１】特開２００４−２６０５７２号公報
【特許文献２】特開２００５−３９４５９号公報
【特許文献３】特開２００５−１９２１９７号公報
【発明の開示】
【発明が解決しようとする課題】
【０００４】
ところで、上記特許文献３に記載されているデジタルカメラでは、色空間ブラケット撮影モードが選択されると、１回の撮像指示でメモリカードに２種類の画像ファイルが記録されてしまう。その結果、メモリカードに記録される記録データ量が増えてしまうという問題が生じている。
【０００５】
本発明は上記問題を解決するためのものであり、色空間ブラケット撮影モード時にメモリカード等の記録媒体に記録される記録データ量を減らすことができる撮像装置及びその画像データ記録方法を提供することを目的とする。
【課題を解決するための手段】
【０００６】
本発明は、１回のレリーズ入力に応じて被写体を撮像して画像データを取得した後、この画像データに対してそれぞれ異なる色空間に対応する色空間変換処理を施して、色域の狭い第１の色空間に基づいて変換された第１の画像データと、この第１の画像データよりも色域が広い第２の色空間に基づいて変換された第２の画像データとを少なくとも含む複数種類の異なる色空間の画像データを形成する色空間ブラケット撮影モードを備える撮像装置において、前記色空間ブラケットモード下での撮影時、前記第２の画像データ中の各画素データのうち、前記第２の色空間内且つ前記第１の色空間外の色で表される差分画素データを検出する色空間差分データ検出手段と、前記第１の画像データと、前記差分画素データとを関連付けて記録媒体に記録する記録手段とを備えることを特徴とする。
【０００７】
前記記録媒体に記録された画像のうち、対象画像のプリントに関連する設定を行うプリント関連設定モードを有しており、前記第２の色空間として、プリントに適正なプリント適正色空間が設定されている場合、前記プリント関連設定モード下で、前記対象画像に対して前記プリントに関する設定が行われたとき、前記対象画像の対応する前記第１の画像データと、これに関連付けて記憶された前記差分画素データとを用いて前記プリント適正色空間に応じた前記第２の画像データを形成するプリント適正画像データ形成手段を備えることが好ましい。
【０００８】
また、本発明は、１回のレリーズ入力に応じて被写体を撮像して画像データを取得した後、この画像データに対してそれぞれ異なる色空間に対応する色空間変換処理を施して、色域の狭い第１の色空間に基づいて変換された第１の画像データと、この第１の画像データよりも色域が広い第２の色空間に基づいて変換された第２の画像データとを少なくとも含む複数種類の異なる色空間の画像データを形成する色空間ブラケット撮影モードを備える撮像装置の画像データ記録方法において、前記色空間ブラケットモード下での撮影時、前記第２の画像データ中の各画素データのうち、前記第２の色空間内且つ前記第１の色空間外の色で表される差分画素データを検出する色空間差分データ検出ステップと、前記第１の画像データと、前記差分画素データとを関連付けて記録媒体に記録する記録ステップとを備えることを特徴とする。
【発明の効果】
【０００９】
本発明の撮像装置は、１回のレリーズ入力に応じて、色域の狭い第１の色空間の第１の画像データと、この第１の画像データよりも色域が広い第２の色空間の第２の画像データとを少なくとも含む複数種類の異なる色空間の画像データを形成する色空間ブラケット撮影モード下での撮影時に、前記第２の画像データ中の各画素データのうち、前記第２の色空間内且つ前記第１の色空間外の色で表される差分画素データを検出する色空間差分データ検出手段と、前記第１の画像データと前記差分画素データとを関連付けて記録媒体に記録する記録手段とを備えるようにしたので、従来よりも記録媒体に記録される記録データ量を減らすことができる。その結果、従来よりも色空間ブラケット撮影モード時における撮影可能枚数を増やすことができる。
【００１０】
前記第２の色空間としてプリントに適正なプリント適正色空間が設定されている場合、対象画像のプリントに関連する設定を行うプリント関連設定モード下で、前記対象画像に対して前記設定が行われたとき、前記対象画像の対応する前記第１の画像データと、これに関連付けて記憶された前記差分画素データとを用いて前記第２の画像データを形成するようにしたので、前記設定が行われた画像をプリントしたときに、自動的に高画質なプリント画像が得られる。
【００１１】
本発明の撮像装置の画像データ記録方法は、１回のレリーズ入力に応じて、色域の狭い第１の色空間の第１の画像データと、この第１の画像データよりも色域が広い第２の色空間の第２の画像データとを少なくとも含む複数種類の異なる色空間の画像データを形成する色空間ブラケット撮影モード下での撮影時に、前記第２の画像データ中の各画素データのうち、前記第２の色空間内且つ前記第１の色空間外の色で表される差分画素データを検出して、前記第１の画像データと、前記差分画素データとを関連付けて記録媒体に記録するようにしたので、同様に従来よりも記録媒体に記録される記録データ量を減らすことができる。
【発明を実施するための最良の形態】
【００１２】
図１および図２において、本発明の撮像装置に相当するデジタルカメラ１０の前面には、撮像レンズ１２を保持するレンズ鏡胴１４が組み込まれている。レンズ鏡胴１４の上部には、ファインダ対物窓１６が設けられている。デジタルカメラ１０の上面には、レリーズボタン１８、電源スイッチ２０、及びモードダイヤル２２が設けられており、側面には、開閉自在な蓋２４が設けられている。蓋２４を開くと、メモリカード２５（図３参照）が着脱自在に装填されるメモリカードスロット（図示せず）が露呈される。
【００１３】
デジタルカメラ１０の背面には、ファインダ対物窓１６とともに電子ビューファインダを構成するファインダ接眼窓２６、液晶表示器（ＬＣＤ）２８、及び操作部３０が設けられている。ＬＣＤ２８は、メモリカード２６から読み出した画像やスルー画像、各種メニュー画面を表示する。操作部３０は、撮像レンズ１２のズームレンズ（図示せず）をワイド側、テレ側に変倍するズーム操作ボタン３４、ＬＣＤ２８にメニュー画面を表示させる際や選択内容を決定する際に操作されるメニューボタン３６、メニュー画面内でカーソルを移動させる十字キー３８などから構成される。
【００１４】
レリーズボタン１８は、２段階押しのスイッチである。電子ビューファインダまたはＬＣＤ１８による被写体のフレーミングの後に、レリーズボタン１８が軽く押圧（半押し）されると、露出条件の決定（ＡＥ）、自動焦点調整（ＡＦ）などの各種撮影準備処理が施される。この状態でレリーズボタン１８がもう１度強く押圧（全押し）されると、決定された露出条件の下で一回の撮影が行われる。
【００１５】
モードダイヤル２２が回動操作されると、標準の静止画撮影を行う静止画撮影モード、色空間ブラケット撮影を行う色空間ブラケット撮影モード、撮影した画像をＬＣＤ２８に表示する再生モード、ＤＰＯＦ（Ｄｉｇｉｔａｌ  Ｐｒｉｎｔ  Ｏｒｄｅｒ  Ｆｏｒｍａｔ）設定を行うＤＰＯＦ設定モード、及び各種設定を行う設定モードが選択的に切り替えられる。
【００１６】
図３において、撮像レンズ１２には、ズーム機構４０が接続されている。また、絞り４２には、絞り駆動機構４４が接続されている。ズーム機構４０は、ズーム操作ボタン３４の操作に連動して、ズームレンズをワイド側、あるいはテレ側にステップ移動させる。また、各焦点距離において、フォーカスレンズ（図示せず）を移動させて合焦位置に停止させる。絞り駆動機構４４は、絞り４２を動作させ、絞り径を調整する。これら両機構４０，４４は、対応するドライバ４６，４８を介してＣＰＵ５０によって駆動が制御される。
【００１７】
撮像レンズ１２および絞り４２の背後には、被写体像を撮像するＣＣＤ５２が配置されている。ＣＣＤ５２には、ＣＰＵ５０によって制御されるＣＣＤドライバ５４が接続されている。ＣＣＤドライバ５４は、ＣＣＤ５２の電荷蓄積時間と電荷掃き出しタイミングとを制御するためのタイミング信号（クロックパルス）をＣＣＤ５２に出力する。
【００１８】
ＣＣＤ５２から出力された撮像信号は、アナログ信号処理部５６に入力される。アナログ信号処理部５６は、撮像信号に対して相関二重サンプリングを施し、ＣＣＤ５２の各セルの蓄積電荷量に正確に対応したＲ、Ｇ、Ｂの画像信号を出力する。そして、この画像信号を所定の増幅率で増幅し、Ａ／Ｄ変換器（Ａ／Ｄ）５８に出力する。
【００１９】
Ａ／Ｄ５８は、画像信号をＡ／Ｄ変換してデジタル画像データ（以下、ＣＣＤ−ＲＡＷデータと呼ぶ）を出力する。Ａ／Ｄ５８から出力されたＣＣＤ−ＲＡＷデータは、データバス６０を介してＳＤＲＡＭ６２に入力され、このＳＤＲＡＭ６２に一旦格納される。なお、アナログ信号処理部５６及びＡ／Ｄ５８は、タイミングジェネレータ（図示せず）から入力されるタイミング信号に応じて同期駆動し、一定のフレームレートでＣＣＤ−ＲＡＷデータを出力する。
【００２０】
デジタル信号処理回路６４は、ＳＤＲＡＭ６２からＣＣＤ−ＲＡＷデータを読み出して各種画像処理を施す。このデジタル信号処理回路６４は、色補間処理部６６、ホワイトバランス（ＷＢ）補正処理部６８、色変換処理部７０、ガンマ（γ）補正処理部７２等から構成される。色補間処理部６６は、ＣＣＤ−ＲＡＷデータに対して色補間処理を施す。ＷＢ補正処理部６８は、色補間処理が施された画像データに対し、所定のホワイトバランス補正係数でホワイトバランス補正処理を施す。
【００２１】
色変換処理部７０は、ホワイトバランス補正処理が施された画像データに対し、所定の色変換係数を用いて彩度、明度、色相等の補正を施す。ここで用いられる色変換係数は色空間ごとに異なり、この変換係数を変更することで様々な色空間の画像データが形成される。本実施形態のデジタルカメラ１０では、少なくともｓＲＧＢ色空間（第１の色空間）、ＡｄｏｂｅＲＧＢ色空間（第２の色空間）を含む２種類以上の色空間を選択することができる。そして、色変換処理部７０は、ホワイトバランス補正処理後の画像データを予め選択された色空間の画像データに変換する。
【００２２】
γ補正処理部７２は、色変換処理部７０で変換された画像データに対して、その色空間に対応した所定のガンマ補正係数を用いてガンマ補正を行う。なお、図示は省略するが、画像データに対して、ガンマ補正以外にも色空間に対応したパラメータ（補正係数）で各種画像処理が施される。このようにして、デジタル信号処理回路６４の各部で画像処理が施された本画像データは、ＳＤＲＡＭ６２に再度格納される。
【００２３】
圧縮伸張処理部７６は、ＳＤＲＡＭ６２から読み出した本画像データを、所定のファイル形式（例えば、ＪＰＥＧ形式）に圧縮する。圧縮伸張処理部７６で圧縮されたファイルは、ＳＤＲＡＭ６２に再度格納される。また、圧縮伸張処理部７６は、再生モード時などには圧縮されたファイルの伸張処理を行う。
【００２４】
メディアコントローラ７８は、メモリカード２５に対する画像データの記録、及び読み出しを制御する。このメディアコントローラ７８は、ＳＤＲＡＭ６２に再度格納された本画像データをメモリカード２５に記録する。また、メディアコントローラ７８は、再生モード時などには、メモリカード２５に記録されている本画像データを読み出す。
【００２５】
ＬＣＤドライバ８０には、ＳＤＲＡＭ６２から読み出された２フレーム分のＣＣＤ−ＲＡＷデータが格納されるＶＲＡＭ（図示せず）が接続されている。ＶＲＡＭには、ＣＣＤ−ＲＡＷデータの書き込みと読み出しとが並行して行われる。ＬＣＤドライバ８０は、ＶＲＡＭから読み出したＣＣＤ−ＲＡＷデータをアナログのコンポジット信号に変換し、これをＬＣＤ２８にスルー画像として表示する。また、ＬＣＤドライバ８０は、圧縮伸張処理部７６で伸張された画像データを、ＬＣＤ２８に再生画像として表示する。
【００２６】
ＣＰＵ５０は、制御バス８２を介して各部に制御信号を送信するとともに、各部からの応答信号を受信して、各部の動作を統括的に制御する。ＣＰＵ５０には、レリーズボタン１８、操作部３０、及び各種制御用のプログラムや設定情報などが記録されたＥＥＰＲＯＭ８４が接続されている。ＣＰＵ５０は、レリーズボタン１８からの操作入力信号を受けて、レリーズボタン１８の半押し、全押しに伴う処理を各部に実行させる。また、ＣＰＵ５０は、操作部３０から入力される操作入力信号に応じて各部を動作させ、各種情報をＥＥＰＲＯＭ８４から読み出して、処理を実行する。
【００２７】
ＣＰＵ５０には、測光・測距部８６が接続されている。測光・測距部８６は、被写体の輝度、および被写体までの距離を検出し、この検出結果から露出量、ホワイトバランス補正量、および焦点距離を決定する。
【００２８】
測光・測距部８６は、スルー画像の表示中は所定のサイクルで作動している。スルー画像の表示中は、測光・測距部８６で決定された露出量に応じて、ドライバ４８により絞り駆動機構４４が動作され、絞り４２の絞り径が制御される。絞り径のみで適正な露出量にすることができない場合は、ＣＣＤドライバ５４によりＣＣＤ５２の電荷蓄積時間が制御される。
【００２９】
測光・測距部８６は、レリーズボタン１８が半押しされたときに輝度および距離の検出を開始し、検出結果をＣＰＵ５２に逐次送信する。ＣＰＵ５２は、測光・測距部８６からの検出結果に基づいて、撮像レンズ１２、絞り４２、及びＣＣＤ５２の動作を制御する。
【００３０】
次に、デジタルカメラ１０で色空間ブラケット撮影モードが選択された場合についての説明を行う。本実施形態では、色空間ブラケット撮影モード下で、１回の撮像指示（レリーズ入力）に応じて出力されたＣＣＤ−ＲＡＷデータに対してそれぞれ異なる色空間に対応する色空間変換処理を施して、複数種類の色空間の画像データを形成する。この色空間ブラケット撮影を行う際には、最初にどの色空間の画像データを形成するかの選択が行われる。本実施形態では、ｓＲＧＢ色空間とＡｄｏｂｅＲＧＢ色空間とが選択されたものとして説明を行う。
【００３１】
レリーズボタン１８が全押しされると、半押し時に決定された露出量に基づいて静止画撮影が行われ、これにより得られたＣＣＤ−ＲＡＷデータがＳＤＲＡＭ６２に格納される。デジタル信号処理回路６４の色補間処理部６６は、ＳＤＲＡＭ６２より読み出されたＣＣＤ−ＲＡＷデータに対して色補間処理を施し、ＷＢ補正処理部６８は、色補間処理された両画像データに対してホワイトバランス処理を施す。
【００３２】
色変換処理部７０は、画像データに対してｓＲＧＢ色空間、及びＡｄｏｂｅＲＧＢ色空間に対応する色空間変換処理を施して、本発明の第１の画像データに相当するｓＲＧＢ色空間の画像データ（以下、ｓＲＧＢ画像データという）と、本発明の第２の画像データに相当するＡｄｏｂｅＲＧＢ色空間の画像データ（以下、ＡｄｏｂｅＲＧＢ画像データという）とを形成する。ｓＲＧＢ及びＡｄｏｂｅＲＧＢ画像データは、一旦ＳＤＲＡＭ６２に格納された後、色空間差分データ検出部８８により読み出される。
【００３３】
色空間差分データ検出部８８は、本発明の色空間差分データ検出手段に相当するものであり、ＡｄｏｂｅＲＧＢ画像データの各画素データのうちｓＲＧＢ色空間の外にある色で表される色空間外画素データのみを検出する。図４の色空間の比較図に示すように、ＡｄｏｂｅＲＧＢ色空間は、ｓＲＧＢ色空間よりも色域の広い色空間であり、このＡｄｏｂｅＲＧＢ色空間の中には、ｓＲＧＢ色空間が含まれている。従って、ＡｄｏｂｅＲＧＢ画像データを記録する際には、対応するｓＲＧＢ画像データと、ＡｄｏｂｅＲＧＢ色空間内且つｓＲＧＢ色空間外の色で表される画素データ（図中斜線部）である色空間外画素データとを記録することで全画素データが揃うため、画像ファイルごと記録する必要はない。
【００３４】
図３に示すように、色空間差分データ検出部８８は、ＳＤＲＡＭ６２からｓＲＧＢ及びＡｄｏｂｅＲＧＢ画像データを読み出した場合、上述の図４の比較図に基づき作成された計算式等を用いて、ＡｄｏｂｅＲＧＢ画像データの各画素データの中で上述の色空間外画素データを検出する。そして、色空間差分データ検出部８８は、検出された色空間外画素データを、両色空間の画像データの色空間差分データとして、ＳＤＲＡＭ６２に格納されているＡｄｏｂｅＲＧＢ画像データに上書きする。
【００３５】
色空間差分データの上書きが終了したら、デジタル信号処理回路６４のγ補正処理部７２は、ＳＤＲＡＭ６２より読み出したｓＲＧＢ画像データに対して、ｓＲＧＢに対応するｓＲＧＢパラメータでガンマ補正を施すとともに、色空間差分データに対して、ＡｄｏｂｅＲＧＢに対応するＡｄｏｂｅＲＧＢパラメータでガンマ補正を施す。以下、同様にして、ｓＲＧＢ画像データ及び色空間差分データに対して、それぞれ色空間に対応したパラメータで各種画像処理が施され、ｓＲＧＢ本画像データ及び色空間差分本データが形成される。両データはＳＤＲＡＭ６２に格納される。
【００３６】
圧縮伸張処理部７６は、ＳＤＲＡＭ６２からｓＲＧＢ本画像データ及び色空間差分本データを読み出して、所定のファイル形式（例えば、ＪＰＥＧ形式）に圧縮する。圧縮伸張処理部７６で圧縮された両画像ファイルは、ＳＤＲＡＭ６２に再度格納される。次いで、本発明の記録手段に相当するメディアコントローラ７８は、ＳＤＲＡＭ６２に格納された両画像ファイルをメモリカード２５に記録する。
【００３７】
図５のメモリカード２５のディレクトリ構造に示すように、ルートディレクトリ「Ｒｏｏｔ」の下には、「Ｂ＿ｓＲＧＢ」、「Ｂ＿Ａｄｏｂｅ」、「ＭＩＳＣ」などの複数のサブディレクトリが作成されている。サブディレクトリ「Ｂ＿ｓＲＧＢ」には、ｓＲＧＢ画像ファイル９２＿１（ｓＲＧＢ＿１）〜ｓＲＧＢ画像ファイル９２＿Ｎ（ｓＲＧＢ＿Ｎ）が１画面毎に記録されている。ここで、「＿１」〜「＿Ｎ」は記録順に付けられたファイル番号である。
【００３８】
サブディレクトリ「Ｂ＿Ａｄｏｂｅ」には、色空間差分ファイル９４＿１（差分＿１）〜色空間差分ファイル９４＿Ｎ（差分＿Ｎ）が１画面毎に記録されている。また、サブディレクトリ「ＭＩＳＣ」には、詳しくは後述するが、ＤＰＯＦファイル９６（図６参照）が記録される。
【００３９】
ｓＲＧＢ画像ファイル９２＿１〜９２＿Ｎは、上述のｓＲＧＢ本画像データ９８と、このｓＲＧＢ本画像データ９８に対応する画像付帯情報１００とから構成される。画像付帯情報１００としては、撮影日時、撮影場所、撮影条件（露光条件、シャッタースピードなど）、色空間などが挙げられる。また、差分ファイル９４＿１〜差分ファイル９４＿Ｎは、上述の色空間差分本データ１０２と、上述の画像付帯情報１００とから構成される。
【００４０】
本実施形態では、ｓＲＧＢ画像ファイル９２＿１〜９２＿Ｎ、及び色空間差分ファイル９４＿１〜９４＿Ｎを記録する際に、記録順にファイル番号を付けることで、ｓＲＧＢ画像ファイルに対応する色空間差分ファイルを識別することができる。例えば、「ｓＲＧＢ＿１」に対応する色空間差分ファイルは「差分＿１」であり、「ｓＲＧＢ＿Ｎ」に対応する色空間差分ファイルは「差分＿Ｎ」である。なお、ｓＲＧＢ画像ファイルとこれに対応する色空間差分ファイルとを関連付けて記録可能であれば、記録順にファイル番号を付ける以外の方法を用いてもよい。
【００４１】
次に、色空間ブラケット撮影モードで行われた撮影により得られた画像のうち、プリント対象となるプリント対象画像に対してＤＰＯＦ（Ｄｉｇｉｔａｌ  Ｐｒｉｎｔ  Ｏｒｄｅｒ  Ｆｏｒｍａｔ）設定（プリント関連設定）が行われた場合について説明を行う。ＤＰＯＦは、プリントサイズ、プリント枚数、トリミングなどの各種プリント情報を、デジタルデータとして記録媒体に保存するためのフォーマットである。
【００４２】
図３に示すように、デジタルカメラ１０がＤＰＯＦ設定モード（プリント関連設定モード）に切り替えられると、メモリカード２５からｓＲＧＢ画像ファイル９２＿１のｓＲＧＢ本画像データ９８が読み込まれ、ＳＤＲＡＭ６２に格納される。そして、ＳＤＲＡＭ６２から圧縮伸張処理部７６にｓＲＧＢ本画像データ９８が読み出され、圧縮伸張処理部７６で伸張されて元のｓＲＧＢ本画像データ９８となり、再びＳＤＲＡＭ６２に格納される。ＬＣＤドライバ８０は、伸張後のｓＲＧＢ本画像データ９８をＬＣＤ２８に縮小表示するとともに、ＥＥＰＲＯＭ８４等に記憶されているＤＰＯＦ設定メニュー画面をＬＣＤ２８に表示する。
【００４３】
ユーザは、ＬＣＤ２８に表示される縮小画像とＤＰＯＦ設定メニュー画面とを見ながら、
ｓＲＧＢ画像ファイル９２＿１の画像に対してＤＰＯＦ設定を行う場合には、十字キー３８等を用いてプリントサイズ、プリント枚数、トリミングなどの各種プリント情報を入力する。このようにしてＤＰＯＦ設定がなされると、メモリカード２５から色空間差分ファイル９４＿１の差分本データ１０２が読み出され、圧縮伸張処理部７６で伸張された後、ＳＤＲＡＭ６２に格納される。ＳＤＲＡＭ６２に格納されたｓＲＧＢ本画像データ９８及び差分本データ１０２は、本発明のプリント適正画像データ形成手段に相当するプリント適正画像データ形成部（以下、単に画像データ形成部という）１０６に読み出される。
【００４４】
画像データ形成部１０６は、ｓＲＧＢ本画像データ９８と、差分本データ１０２とを用いてＡｄｏｂｅＲＧＢ本画像データ１０８（図６参照）を形成する。ここで、ＡｄｏｂｅＲＧＢ本画像データ１０８は、色空間ブラケット撮影モードで選択された色空間（ｓＲＧＢ、ＡｄｏｂｅＲＧＢ）の中で最もプリントに適正なプリント適正色空間の画像データである。
【００４５】
ＡｄｏｂｅＲＧＢ本画像データ１０８は、圧縮伸張処理部７６及びメディアコントローラ７８により、所定のファイル形式に圧縮された後、メモリカード２５に記録される。これにより、図６に示すように、メモリカード２５のサブディレクトリ「Ｂ＿Ａｄｏｂｅ」の色空間差分ファイル９４＿１に、ＡｄｏｂｅＲＧＢ画像ファイル１１０＿１が上書きされる。このＡｄｏｂｅＲＧＢ画像ファイル１１０＿１は、ＡｄｏｂｅＲＧＢ本画像データ１０８と、上述の画像付帯情報１００とから構成される。
【００４６】
この際に、本実施形態では、メモリカード２５に記録される記録データ量を減らすため、ＡｄｏｂｅＲＧＢ画像ファイル１１０＿１の上書きと同時にｓＲＧＢ画像ファイル９２＿１をメモリカード２５から消去している。なお、本発明はこれに限定されるものではなく、ｓＲＧＢ画像ファイル９２＿１を残してもよいし、残すか否かをユーザが選択できるようにしてもよい。
【００４７】
ＤＰＯＦ設定が行われない場合には、上述のようなＡｄｏｂｅＲＧＢ本画像データ１０８への変換は行われない。以下、残りの撮影画像に対してもＤＰＯＦ設定を行うか否かの選択が行われ、ＤＰＯＦ設定を行う場合には上述と同様の処理が行われる。なお、図６に示したように、本実施形態では全ての画像をプリント対象画像としてＤＰＯＦ設定を行ったので、色空間差分ファイル９４＿２〜９４＿Ｎに、ＡｄｏｂｅＲＧＢ画像ファイル１１０＿２〜１１０＿Ｎが上書きされる。
【００４８】
ＣＰＵ５０（図３参照）は、ＤＰＯＦ設定が行われたら、ＤＰＯＦファイル９６を作成してメモリカード２５のサブディレクトリ「ＭＩＳＣ」に記録する。このＤＰＯＦファイル９６には、プリントする画像のファイル名、プリントサイズ、プリント枚数、トリミング等からなるプリント設定情報１１２が書き込まれる。
【００４９】
次に、図７のフローチャートを用いて色空間ブラケット撮影モード時における撮影処理について説明を行う。デジタルカメラ１０で色空間ブラケット撮影を行う際には、電源スイッチ２０を操作してデジタルカメラ１０の電源をＯＮする。次いで、モードダイヤル２２を操作して設定モードを選択した後、操作部３０のメニューボタン３６、十字キー３８などを操作して、どの色空間で撮影を行うのかを選択する。この選択（ｓＲＧＢ色空間及びＡｄｏｂｅＲＧＢ色空間）が完了したら、モードダイヤル２２を操作して色空間ブラケット撮影モードを選択する。
【００５０】
色空間ブラケット撮影モードでは、静止画撮影モードと同様に、撮像レンズ１２、絞り４２を介して入射した被写体像がＣＣＤ５２の撮像面に結像され、これによりＣＣＤ５２から撮像信号が出力される。ＣＣＤ５２から出力された撮像信号は、アナログ信号処理部５６で相関二重サンプリングされて増幅され、Ａ／Ｄ５８でＣＣＤ−ＲＡＷデータに変換される。
【００５１】
ＣＣＤ−ＲＡＷデータは、ＳＤＲＡＭ６２に格納される。次いで、ＳＤＲＡＭ６２から読み出された２フレーム分のＣＣＤ−ＲＡＷデータがＶＲＡＭ（図示せず）に書き込まれる。ＶＲＡＭに格納されたＣＣＤ−ＲＡＷデータは、逐次ＬＣＤドライバ８０に読み出されて、ＬＣＤドライバ８０でコンポジット信号に変換され、ＬＣＤ２８にスルー画像として表示される。
【００５２】
スルー画像の表示中にレリーズボタン１８が半押しされると、測光・測距部８６で被写体の輝度および被写体までの距離が検出され、露出量、ホワイトバランス補正量、及び焦点距離が決定される。そして、この結果に基づいてＣＰＵ５０により撮像レンズ１２、絞り４２、及びＣＣＤ５２の動作が制御され、撮影準備処理が施される。
【００５３】
次に、レリーズボタン１８の全押しにより撮影が実行されると、決定された露出量に基づいて静止画撮影が行われ、これにより得られたＣＣＤ−ＲＡＷデータがＳＤＲＡＭ６２に格納される。ＣＣＤ−ＲＡＷデータは、色補間処理部６６及びＷＢ補正処理部６８により、色補間処理、ホワイトバランス処理が施される。次いで、色変換処理部７０により、画像データに対してｓＲＧＢ色空間、及びＡｄｏｂｅＲＧＢ色空間に対応する色空間変換処理が施され、ｓＲＧＢ画像データとＡｄｏｂｅＲＧＢ画像データとが形成される。そして、両画像データは、ＳＤＲＡＭ６２に一旦格納される。
【００５４】
ｓＲＧＢ及びＡｄｏｂｅＲＧＢ画像データは、色空間差分データ検出部８８によりＳＤＲＡＭ６２から読み出されてデータ解析され、ＡｄｏｂｅＲＧＢ画像データの各画素データの中でＡｄｏｂｅＲＧＢ色空間内且つｓＲＧＢ色空間外の色で表される色空間外画素データが検出される。そして、検出された色空間外画素データは、色空間差分データとしてＳＤＲＡＭ６２に格納されているＡｄｏｂｅＲＧＢ画像データに上書きされる。
【００５５】
ＳＤＲＡＭ６２に格納されたｓＲＧＢ画像データ及び色空間差分データは、それぞれの色空間に対応したパラメータでガンマ補正等の各種画像処理が施され、ｓＲＧＢ本画像データ９８及び色空間差分本データ１０２が形成される。ｓＲＧＢ本画像データ及び色空間差分本データ１０２は、ＳＤＲＡＭ６２に格納される。
【００５６】
ＳＤＲＡＭ６２に格納されたｓＲＧＢ本画像データ９８及び色空間差分本データ１０２は、圧縮伸張処理部７６により所定のファイル形式に圧縮された後、ＳＤＲＡＭ６２に再度格納される。次いで、ＳＤＲＡＭ６２に格納されたｓＲＧＢ画像ファイル９２＿１及び色空間差分ファイル９４＿１は、メディアコントローラ７８によりメモリカード２５に記録される（図５参照）。以下、色空間ブラケット撮影が完了するまで上述の処理が繰り返して行われる。
【００５７】
以上のように本実施形態では、色空間ブラケット撮影を行う際に、ＡｄｏｂｅＲＧＢ画像データの各画素データの中でＡｄｏｂｅＲＧＢ色空間内且つｓＲＧＢ色空間外の色で表される色空間外画素データを検出して両色空間の画像データの色空間差分データを求めて、ｓＲＧＢ画像データ及び色空間差分データのみをメモリカード２５に記録するようにしたので、従来よりもメモリカード２５に記録される記録データ量の減らすことができる。
【００５８】
次に、図８のフローチャートを用いて色空間ブラケット撮影により得られた画像に対して、ＤＰＯＦ設定を行う際のフローについて説明を行う。モードダイヤル２２を操作してＤＰＯＦ設定モードが選択されると、メモリカード２５に記録されている画像ファイルの本画像データが読み込まれ、ＳＤＲＡＭ６２に格納される。ＳＤＲＡＭ６２に格納された本画像データは、圧縮伸張処理部７６により伸張されて元の本画像データとなった後、再びＳＤＲＡＭ６２に格納される。次いで、ＬＣＤドライバ８０は、伸張後の本画像データをＬＣＤ２８に縮小表示するとともに、ＤＰＯＦ設定メニュー画面をＬＣＤ２８に表示する。
【００５９】
ユーザは、十字キー３８等を操作して色空間ブラケット撮影で得られた画像のち、プリント対象画像のＤＰＯＦ設定を行う。このＤＰＯＦ設定が開始されると、メモリカード２５からｓＲＧＢ画像ファイル９２＿１のｓＲＧＢ本画像データ９８が読み込まれる。これにより、ｓＲＧＢ本画像データ９８がＬＣＤ２８に縮小表示されるとともに、ＤＰＯＦ設定メニュー画面がＬＣＤ２８に表示される。ユーザは、ＬＣＤ２８に表示される縮小画像及びＤＰＯＦ設定メニュー画面を見て、ＤＰＯＦ設定を行う場合にはプリントサイズ、プリント枚数、トリミングなどの各種プリント情報を入力する。
【００６０】
ＤＰＯＦ設定がなされると、メモリカード２５から色空間差分ファイル９４＿１の差分本データ１０２が読み出され、圧縮伸張処理部７６で伸張された後、ＳＤＲＡＭ６２に格納される。次いで、画像データ形成部１０６は、ＳＤＲＡＭ６２より読み出されたｓＲＧＢ本画像データ９８及び色空間差分本データ１０２を用いて、プリントに適正なＡｄｏｂｅＲＧＢ本画像データ１０８を形成する。このＡｄｏｂｅＲＧＢ本画像データ１０８は、ＳＤＲＡＭ６２に再度格納される。なお、色空間差分ファイル９４＿１がメモリカード２５に記録されていなかった場合、または、色空間差分ファイル９４＿１が壊れている場合には、差分本データ１０２を読み出せない旨のエラー表示がＬＣＤ２８に表示される。この場合には、ＡｄｏｂｅＲＧＢ本画像データ１０８への変換は行われない。
【００６１】
ＳＤＲＡＭ６２に格納されたＡｄｏｂｅＲＧＢ本画像データ１０８は、圧縮伸張処理部７６及びメディアコントローラ７８により、所定のファイル形式に圧縮された後、メモリカード２５に記録される。これにより、メモリカード２５の色空間差分ファイル９４＿１に、ＡｄｏｂｅＲＧＢ画像ファイル１１０＿１が上書きされる（図６参照）。また、ＣＰＵ５０は、ＤＰＯＦ設定が行われたら、ＤＰＯＦファイル９６を作成してメモリカード２５のサブディレクトリ「ＭＩＳＣ」に記録する。このＤＰＯＦファイル９６には、上述のプリント設定情報１１２が書き込まれる。
【００６２】
また、ＤＰＯＦ設定が行われない場合には、ＡｄｏｂｅＲＧＢ本画像データ１０８への変換は行われない。以下、残りの撮影画像に対してもＤＰＯＦ設定を行うか否かの選択が行われ、ＤＰＯＦ設定を行う場合には上述と同様の処理が行われる。
【００６３】
このように本実施形態では、ＤＰＯＦ設定が行われたときに、ｓＲＧＢ本画像データ９８を、色空間差分本データ１０２を用いてプリントに適したＡｄｏｂｅＲＧＢ画像本データ１０８に自動的に変換することができる。これにより、ＤＰＯＦ設定された画像をプリントしたときに、高画質なプリント画像が得られる。
【００６４】
なお、上記実施形態では、色空間ブラケット撮影時に、ｓＲＧＢ色空間及びＡｄｏｂｅＲＧＢ色空間の２種類の色空間が選択された場合を例に挙げて説明を行ったが、本発明はこれに限定されるものではなく、３種類以上の各種の色空間が選択されている場合にも本発明を適用することができる。この場合も同様に、最も色域の狭い色空間の画像データと、他の色空間の色空間差分データとをメモリカード２５に記録させる。そして、ＤＰＯＦ設定が行われたときには、最も色域の狭い色空間の画像データと、色空間差分データとを用いてＡｄｏｂｅＲＧＢ色空間の画像データなどのプリント適正色空間の画像データを形成すればよい。
【００６５】
また、上記実施形態では、ｓＲＧＢ画像ファイル９２＿１〜９２＿Ｎと、色空間差分ファイル９４＿１〜９４＿Ｎとがそれぞれ別々にメモリカード２５に保存されるが、本発明はこれに限定されるものではない。例えば、ｓＲＧＢ画像ファイルの通常使用しないヘッダ領域（ＥＸＩＦ形式の画像ファイルのユーザデータエリアなど）を利用することで、ｓＲＧＢ画像ファイル及び色空間差分ファイルを１つのファイルとしてメモリカード２５に保存するようにしてもよい。
【００６６】
なお、上記実施形態では、メモリカード２５を記録媒体として用いているが、本発明はこれに限定されるものではなく、デジタルカメラ１０に内蔵された内蔵メモリや内蔵ハードディスクを記録媒体として用いてもよい。
【００６７】
また、上記実施形態では、色空間ブラケット撮影モード及びＤＰＯＦ設定モードを有するデジタルカメラ１０を例に挙げて説明を行ったが、本発明はこれに限定されるものではなく、カメラ付き携帯電話機等の色空間ブラケット撮影モードを少なくとも有する各種撮像装置に本発明を適用することができる。
【図面の簡単な説明】
【００６８】
【図１】本発明のデジタルカメラの正面斜視図である。
【図２】デジタルカメラの背面図である。
【図３】デジタルカメラの電気的構成を示したブロック図である。
【図４】ｓＲＧＢ色空間とＡｄｏｂｅＲＧＢ色空間との比較図である。
【図５】メモリカードに記録されるファイルのディレクトリ構成を示す図である。
【図６】ＤＰＯＦ設定後のメモリカードに記録されるファイルのディレクトリ構成を示す図である。
【図７】色空間ブラケット撮影モード時における撮影処理を説明するためのフローチャートである。
【図８】色空間ブラケット撮影により得られた画像に対してＤＰＯＦ設定を行う際のフローを説明するためのフローチャートである。
【符号の説明】
【００６９】
１０  デジタルカメラ
２２  モードダイヤル
２５  メモリカード
５０  ＣＰＵ
６２  ＳＤＲＡＭ
６４  デジタル信号処理回路
７０  色変換処理部
７８  メディアコントローラ
８８  色空間差分データ検出部
９２＿１〜９２＿Ｎ  ｓＲＧＢ画像ファイル
９４＿１〜９４＿Ｎ  色空間差分ファイル
９６  ＤＰＯＦファイル
９８  ｓＲＧＢ本画像データ
１０２  差分本データ
１０６  プリント適正画像データ形成部
１０８  Ａｄｏｂｅ本画像データ
１１０＿１〜１１０＿Ｎ  Ａｄｏｂｅ画像ファイル
【図１】
2008085882.tif 000003
【図２】
2008085882.tif 000004
【図３】
2008085882.tif 000005
【図４】
2008085882.tif 000006
【図５】
2008085882.tif 000007
【図６】
2008085882.tif 000008
【図７】
2008085882.tif 000009
【図８】
2008085882.tif 000010